(57)【要約】【課題】レンズ間に進退する羽根を備えることが可能であり、光軸方向の長さが短いレンズ鏡筒、レンズユニットを提供する。【解決手段】レンズ鏡筒１０は、複数のレンズ１１を保持するレンズ鏡筒１０であって、周方向に延びる第１のスリット１７Ａおよび第２のスリット１７Ｂを備える。第１のスリット１７Ａと第２のスリット１７Ｂとは、このレンズ鏡筒１０の光軸Ｌを挟んで向かい合って、仮想面Ｒに設けられる。仮想面Ｒは、光軸Ｌに垂直に交わる面である。レンズユニット１０３は、レンズ鏡筒１０と、レンズ１１と、絞りユニット２０と、外枠１５と、焦点調節部１６と、を備える。レンズ１１は、仮想面Ｒを挟んで、レンズ鏡筒１０に配置される。絞りユニット２０は、第１のスリット１７Ａおよび第２のスリット１７Ｂに差し込まれて配置される地板１２と、開口部２２に進退する絞り羽根１３と、絞り羽根１３を進退させるアクチュエータと、を有する。【選択図】図２
2017151312.tif 000002
【特許請求の範囲】
【請求項１】
複数のレンズを保持するレンズ鏡筒であって、
周方向に延びる第１のスリットおよび第２のスリットを備え、
前記第１のスリットと前記第２のスリットとは、このレンズ鏡筒の光軸を挟んで向かい合って、仮想面に設けられ、
該仮想面は、前記光軸に垂直に交わる面である、
ことを特徴とするレンズ鏡筒。
【請求項２】
請求項１に記載のレンズ鏡筒と、
前記仮想面を挟んで、前記レンズ鏡筒に配置される複数のレンズと、
それぞれ光軸が通過する開口部を有し、前記レンズ鏡筒の前記第１のスリットおよび前記第２のスリットに差し込まれて前記レンズ鏡筒に配置される第１の地板および第２の地板と、前記第１の地板と前記第２の地板との間に配置され、前記開口部に進退する羽根と、前記羽根を前記開口部に進退させるアクチュエータと、を有する羽根ユニットと、
前記レンズ鏡筒を光軸方向にスライド可能に保持する外枠と、
前記レンズ鏡筒を光軸方向に移動させる焦点調節部と、
を備えることを特徴とするレンズユニット。
【請求項３】
請求項１に記載のレンズ鏡筒に、前記仮想面を挟んで、複数のレンズを配置する工程と、
開口部を有する第１の地板を配置し、その上に、アクチュエータで往復動作させられて前記開口部に進退する羽根を配置し、その上に、開口部を有する第２の地板を、前記第１の地板の開口部と前記第２の地板の開口部とが重なるように配置することにより、羽根ユニットを組み立てる工程と、
前記羽根ユニットの前記第１の地板と前記第２の地板とを、前記レンズ鏡筒の前記第１のスリットから前記第２のスリットに挿入し、前記第１の地板の開口部および前記第２の地板の開口部を前記光軸に位置合わせし、前記羽根ユニットを前記レンズ鏡筒に固定する工程と、
前記レンズ鏡筒にマグネットを固定し、前記マグネットに引力または斥力を与える磁界を発生するコイルが配置された外枠に、前記コイルで発生した磁界により光軸方向に移動させられるように前記レンズ鏡筒を配置する工程と、
を備えることを特徴とするレンズユニットの製造方法。
【発明の詳細な説明】
【技術分野】
【０００１】
本発明は、レンズ鏡筒、レンズユニット及びレンズユニットの製造方法に関する。
【背景技術】
【０００２】
スマートフォンなどの電子機器の中には、カメラを備えているものがある。例えば、特許文献１には、携帯端末に搭載されるカメラ（撮像装置）が開示されている。この撮像装置は、撮像素子と、レンズ（光学部材）から構成され、レンズの被写体側にレンズを透過する光を遮蔽するシャッタを備えている。
【０００３】
特許文献１に開示されたカメラに限らず、スマートフォンに備えられるカメラは、スマートフォンの厚みに収まるように、光軸方向の長さがスマートフォンの厚みより短く設計されている。また、スマートフォンは、容易に持ち運ぶことできるようにするなどの様々なニーズから、より薄型のものが求められている。スマートフォンがより薄くなるのに伴い、カメラも光軸方向の長さがより短いものが、市場では要望されることがある。また、スマートフォンに備えられるカメラにより撮像した画像の画質を向上させるために（例えば、このカメラにおいて被写界深度を調節できるようにするために）、このカメラが、レンズを透過する光量を調整する絞り羽根などを備えることも、市場では要望されることがある。
【先行技術文献】
【特許文献】
【０００４】
【特許文献１】特開２００４−３０９９５４号公報
【発明の概要】
【発明が解決しようとする課題】
【０００５】
特許文献１のカメラのシャッタ羽根を絞り羽根に置き換えて、絞り羽根をカメラに設けることも考えられる。しかし、特許文献１のカメラでは、シャッタ羽根がレンズの被写体側に配置されているため、特許文献１のカメラのシャッタ羽根を、レンズ間に設けられる必要がある絞り羽根に置き換えることは、困難であるという問題がある。
【０００６】
また、シャッタ羽根や絞り羽根を備え、光軸方向の長さが短いカメラを得るために、このカメラが備えるレンズ鏡筒や、レンズユニットも、レンズ間に羽根を進退させることができ、光軸方向の長さが短いものが求められている。
【０００７】
本発明は、このような実情に鑑みてなされたものであり、レンズ間に進退する羽根を備えることが可能であり、光軸方向の長さが短いレンズ鏡筒、レンズユニットおよびレンズユニットの製造方法を提供することを目的とする。
【課題を解決するための手段】
【０００８】
上記目的を達成するため、本発明の第１の観点に係るレンズ鏡筒は、
複数のレンズを保持するレンズ鏡筒であって、
周方向に延びる第１のスリットおよび第２のスリットを備え、
前記第１のスリットと前記第２のスリットとは、このレンズ鏡筒の光軸を挟んで向かい合って、仮想面に設けられ、
該仮想面は、前記光軸に垂直に交わる面である、
ことを特徴とする。
【０００９】
このようにすることで、レンズ鏡筒は、第１のスリットと第２のスリットとに絞り羽根等の羽根が配置される羽根室を構成する地板を備えることが可能となる。このため、レンズ間に絞り機構を備えなくても、絞り羽根等の羽根が配置される羽根室を構成する地板を備えることができるため、光軸方向の長さをより短く設計できる。
また、レンズ間に絞り機構を備えなくても、絞り羽根等の羽根が配置される羽根室を構成する地板を備えることができるため、例えば後述のレンズユニットを製造する際に、レンズ鏡筒の光軸調整をする必要がなく、容易にレンズユニットを製造することも可能である。
【００１０】
上記目的を達成するため、本発明の第２の観点に係るレンズユニットは、
前記レンズ鏡筒と、
前記仮想面を挟んで、前記レンズ鏡筒に配置される複数のレンズと、
それぞれ光軸が通過する開口部を有し、前記レンズ鏡筒の前記第１のスリットおよび前記第２のスリットに差し込まれて前記レンズ鏡筒に配置される第１の地板および第２の地板と、前記第１の地板と前記第２の地板との間に配置され、前記開口部に進退する羽根と、前記羽根を前記開口部に進退させるアクチュエータと、を有する羽根ユニットと、
前記レンズ鏡筒を光軸方向にスライド可能に保持する外枠と、
前記レンズ鏡筒を光軸方向に移動させる焦点調節部と、
を備えることを特徴とする。
【００１１】
このようにすることで、レンズユニットは、羽根が配置される羽根室を構成する地板が前記第１のスリットに挿入されてレンズ間に配置されることで、進退する絞り羽根等の羽根を備えることができる。また、レンズ間の間隔が狭くても地板を配置できるため、地板が配置されるレンズ間の間隔を狭く設計することが可能となり光軸方向の長さを短縮できる。また、レンズユニットは、焦点調節部がレンズ鏡筒を駆動することにより、自動焦点機能を備える。
また、このようにすることで、後述のように、レンズ鏡筒と羽根ユニットとを別々に組み立て、組み立てた羽根ユニットの地板をレンズ鏡筒の第１のスリットに挿入して羽根ユニットをレンズ鏡筒に固定することでレンズユニットを製造することもできる。このため、レンズ鏡筒と羽根ユニットとを分けて製造することができ、レンズ鏡筒を組立てた後に羽根ユニットを挿入することができるためレンズ鏡筒の光軸調整をする必要なく、レンズユニットの製造を容易にすることできる。
【００１２】
上記目的を達成するため、本発明の第３の観点に係るレンズユニットの製造方法は、
前記レンズ鏡筒に、前記仮想面を挟んで、複数のレンズを配置する工程と、
開口部を有する第１の地板を配置し、その上に、アクチュエータで往復動作させられて前記開口部に進退する羽根を配置し、その上に、開口部を有する第２の地板を、前記第１の地板の開口部と前記第２の地板の開口部とが重なるように配置することにより、羽根ユニットを組み立てる工程と、
前記羽根ユニットの前記第１の地板と前記第２の地板とを、前記レンズ鏡筒の前記第１のスリットから前記第２のスリットに挿入し、前記第１の地板の開口部および前記第２の地板の開口部を前記光軸に位置合わせし、前記羽根ユニットを前記レンズ鏡筒に固定する工程と、
前記レンズ鏡筒にマグネットを固定し、前記マグネットに引力または斥力を与える磁界を発生するコイルが配置された外枠に、前記コイルで発生した磁界により光軸方向に移動させられるように前記レンズ鏡筒を配置する工程と、
を備えることを特徴とする。
【００１３】
このようにすることで、レンズ鏡筒と羽根ユニットとを別々に組み立て、組み立てた羽根ユニットの地板をレンズ鏡筒の第１のスリットに挿入して羽根ユニットをレンズ鏡筒に固定することでレンズユニットを製造することができる。このため、レンズ鏡筒と羽根ユニットとを分けて製造することができ、レンズ鏡筒を組立てた後に羽ユニットを挿入することができるためレンズ鏡筒の光軸調整をする必要なく、レンズユニットの製造を容易にすることできる。
【発明の効果】
【００１４】
本発明によれば、レンズ間に進退する羽根を備えることが可能であり、光軸方向の長さが短いレンズ鏡筒、レンズユニットおよびレンズユニットの製造方法を提供することが可能となる。
【図面の簡単な説明】
【００１５】
【図１】（Ａ）は、実施の形態に係るカメラを示す図であり、（Ｂ）は、実施の形態に係るカメラを示す正面図である。
【図２】図１（Ｂ）のＡ−Ａ断面図である。
【図３】実施の形態に係るレンズユニットを示す分解図である。
【図４】（Ａ）は、実施の形態に係るレンズ鏡筒の上面図であり、（Ｂ）は、実施の形態に係るレンズ鏡筒の正面図であり、（Ｃ）は、実施の形態に係るレンズ鏡筒の底面図であり、（Ｄ）は、実施の形態に係るレンズ鏡筒の側面図であり、（Ｅ）は、図４（Ｂ）のＢ−Ｂ断面図である。
【図５】実施の形態に係るレンズ鏡筒および羽根ユニットを示す分解図である。
【図６】実施の形態に係る羽根ユニットを示す分解図である。
【図７】実施の形態に係るカメラを備えるスマートフォンのブロック図である。
【図８】実施の形態に係る絞り羽根の動作を示す図である。
【図９】実施の形態に係る絞り羽根の動作を示す図である。
【発明を実施するための形態】
【００１６】
以下、本発明を実施するための形態に係るレンズ鏡筒を、カメラに使用されるレンズユニットに備えられるレンズ鏡筒を例に図面を参照しながら詳細に説明する。
【００１７】
（実施の形態）
本発明の実施の形態に係るカメラ１０１は、図１および図２に示すように、撮像部１０２（図２のみ図示）と、レンズユニット１０３と、を備える。カメラ１０１は、スマートフォンなどの電子機器に内蔵されるものである。
【００１８】
撮像部１０２は、レンズユニット１０３に設けられたレンズ１１により撮像面に結像された被写体像を電気信号に変換する。撮像部１０２は、被写体像を電気信号に変換するものであれば特に限定されず、例えばＣＣＤ（Charge-Coupled Device）型イメージセンサ、ＣＭＯＳ（Complementary Metal Oxide Semiconductor）型イメージセンサ等の撮像素子から構成される。
【００１９】
レンズユニット１０３は、図２および図３に示すように、レンズ鏡筒１０と、レンズ１１と、地板１２（１２Ａ、１２Ｂ）と、絞り羽根１３と、羽根駆動部１４と、外枠１５と、焦点調節部１６と、板バネ１８（１８Ａ、１８Ｂ）と、を備える。なお、地板１２と、絞り羽根１３と、羽根駆動部１４と、は絞りユニット２０を構成する。
【００２０】
レンズ鏡筒１０は、図２に示すように、レンズ１１を保持するものであり、図４および図５に示すように、周方向に延びる第１のスリット１７Ａおよび第２のスリット１７Ｂを有する。第１のスリット１７Ａと第２のスリット１７Ｂとは、図４（Ｅ）に示すように、レンズ鏡筒１０の光軸Ｌを挟んで向かい合い、光軸Ｌに垂直に交わる仮想面Ｒに設けられる。ここで、仮想面Ｒは、光軸Ｌに垂直なものである場合に限定されず、仮想面Ｒに地板１２を設けた場合、地板１２が光軸Ｌに垂直な面から傾斜しても許容できる範囲を含み、例えば、仮想面Ｒは、光軸Ｌに垂直な面に０°〜５°程度（例えば０〜５°）傾いた面も含む。また、仮想面Rは、光軸L方向の厚みを有し、この厚みは０．２〜０．５ｍｍ程度（例えば、０．２〜０．５ｍｍ、好ましくは０．２〜０．３ｍｍ）である。第１のスリット１７Ａは、地板１２をレンズ鏡筒１０外からレンズ鏡筒１０内に挿通させるためのものである。第２のスリット１７Ｂは、地板１２の先２１を保持するものである。また、仮想面Ｒより被写体側のレンズ鏡筒１０の最大内径は、仮想面Ｒより撮像部１０２側の最小内径より小さい。また、レンズ鏡筒１０には、図５に示すように、絞りユニット２０とレンズ鏡筒１０とを結合させる結合部材１９Ａと、後述するマグネット５１が載置されるマグネットケース５０が固定される。
【００２１】
図４（Ｅ）に戻って、レンズ１１は、仮想面Ｒを挟んで、レンズ鏡筒１０に複数配置されるものである。また、仮想面Ｒより被写体側のレンズ１０の最大径は、仮想面Ｒより撮像部１０２側のレンズ鏡筒１０の最小内径より小さい。これにより、被写体側のレンズ１１をレンズ鏡筒１０の撮像部１０２側から入れて配置することができる。
【００２２】
地板１２（１２Ａ、１２Ｂ）は、図６に示すように、光非透過性の樹脂部材から構成され、光軸Ｌが通過する円形の開口部２２Ａ、２２Ｂを備える。また、地板１２は、重ねると空間ができるように縁にスペーサー２４が設けられ、第１の地板１２Ａと第２の地板１２Ｂとの間に羽根室２３を構成する。図２に戻って、地板１２は、第１のスリット１７Ａおよび第２のスリット１７Ｂに差し込まれてレンズ鏡筒１０に配置されている。
【００２３】
絞り羽根１３は、羽根室２３内に配置され、往復動作させられて開口部２２に進退する羽根であり、光非透過性のシート状部材から構成されている。また、絞り羽根１３は、図６に示すように、絞り用開口部２５を備え、その根本部に孔２６を備える。孔２６には、後述する駆動部ベース３１に垂設された支点ピン３８が挿通され、絞り羽根１３は、支点ピン３８を支点として揺動可能となっている。また、絞り羽根１３の根本部の近傍には、後述する駆動ピン３６が貫通する孔２７が設けられる。
【００２４】
図２に戻って、羽根駆動部１４は、レンズ鏡筒１０の側面に配置され、絞り羽根１３を開口部２２に進退させるものである。羽根駆動部１４は、図６に示すように、駆動部ベース３１と、駆動部カバー３２と、コイル３３と、ヨーク３４と、回転子３５と、を備える。なお、コイル３３、ヨーク３４および回転子３５は、電磁アクチュエータを構成する。駆動部ベース３１は、コイル３３、ヨーク３４、回転子３５等の部品を所定位置に配置するものである。駆動部ベース３１は、貫通孔が設けられたボビン部を備え、このボビン部にコイル３３が巻回されている。ヨーク３４は、二つの脚部を有し、ヨーク３４の片方の脚部が、ボビン部に設けられた貫通孔に挿入され固定されている。回転子３５は、円筒の形状を有し、径方向に２極に着磁された磁石から構成され、ヨーク３４の脚部に挟まれた位置に配置され、駆動部ベース３１に垂設された回転ピン３７に軸止されている。回転子３５には、アームが設けられ、このアームの先に、絞り羽根１３の孔２７に挿通する駆動ピン３６が取り付けられている。また、駆動部ベース３１には、絞り羽根１３の孔２６に挿通する支点ピン３８が垂設されている。このような構成により、回転子３５が回転すると、絞り羽根１３は、駆動ピン３６から力を受けて、支点ピン３８を支点として、開口部２２に進退する。また、駆動部ベース３１は、レンズ鏡筒１０に結合させるためのボス１９Ｂを備える。
【００２５】
図３に戻って、外枠１５は、レンズ鏡筒１０を光軸方向にスライドできるように保持する部材である。外枠１５は、直方体の形状を有し、背面には撮像部１０２側の面に光を導くための穴が設けられ、正面は開放されている。また、上面は焦点調節部１６が配置されるように開放されている。また、外枠１５とレンズ鏡筒１０とには、光軸方向にスライドするように、それぞれ摺動部６１、６２が設けられ、摺動部６１と摺動部６２との間にベアリング６３が配置されている。また、外枠１５の外には、開放された面を覆うためのカバー６４とケース６５が設けられている。
【００２６】
焦点調節部１６は、マグネット５１と、コイル５２と、ホールセンサ５３と、から構成され、外枠１５に対してレンズ鏡筒１０を光軸方向に移動させるものである。マグネット５１は、磁界の漏洩を防止する部材である防磁部材５４を介して、マグネットケース５０に載置される。コイル５２は、マグネット５１に引力または斥力を与える磁界を発生するものであり、外枠１５に固定されている。コイル５２に電流が流れると磁界が発生し、発生した磁界によりマグネット５１が移動し、これに伴いレンズ鏡筒１０が光軸方向に移動する。ホールセンサ５３は、レンズ鏡筒１０が移動した距離を検知するセンサであり、コイル５２の上に配置されている。防磁部材５５は、磁界の漏洩を防止する部材であり、ホールセンサ５３の上に配置されている。
【００２７】
板バネ１８Ａ、１８Ｂは、外枠１５から羽根駆動部１４に給電するための導電部であり、蛇行形状を有している。板バネ１８Ａ、１８Ｂは、図６に示すように、駆動部カバー３２の上に配置されている。電極４１Ａ、４１Ｂは、外部の駆動回路に接続される部分である。また、板バネ１８Ａは、電極４２Ａおよび固定部４５で駆動部カバー３２に固定され、電極４１Ａと固定部４５との間は柔軟に撓るようになっている。また、板バネ１８Ｂは、電極４２Ｂで駆動部カバー３２に固定され、電極４１Ｂと電極４２Ｂとの間は柔軟に撓るようになっている。また、電極４２Ａ、４２Ｂは、孔４３Ａ、４３Ｂに挿通された導電性のリード部４４Ａ、４４Ｂに電気的に接続されている。また、リード部４４Ａ、４４Ｂは、コイル３３から延出したリード線に電気的に接続されている。
【００２８】
つぎに、本実施の形態のレンズユニット１０３を製造する方法について説明する。
【００２９】
レンズユニット１０３を製造する方法は、レンズ鏡筒１０に複数のレンズ１１を配置する工程と、絞りユニット２０を組み立てる工程と、絞りユニット２０をレンズ鏡筒１０に固定する工程と、レンズ鏡筒１０を外枠１５に配置する工程と、を備える。
【００３０】
レンズを配置する工程では、図４（Ｅ）に示すように、周方向の第１のスリット１７Ａと第２のスリット１７Ｂとを備えるレンズ鏡筒１０に、光軸Ｌに垂直に交わる仮想面Ｒを挟んで、複数のレンズ１１を配置する。具体的には、仮想面Ｒより被写体側のレンズ１１をレンズ鏡筒１０の撮像部１０２側から入れて配置した後、仮想面Ｒより撮像部１０２側のレンズ１１を配置する。
【００３１】
つぎに、図６を参照しながら絞りユニット２０を組み立てる工程を説明する。
支点ピン３８が垂設された駆動部ベース３１にコイル３３と、ヨーク３４と、駆動ピン３６が設けられた回転子３５と、を配置する。つぎに、駆動部ベース３１の上に、開口部２２Ａを有する第１の地板１２Ａを、駆動部ベース３１に配置する。つぎに、第１の地板１２Ａの上に、支点ピン３８が孔２６に挿通し、駆動ピン３６が孔２７に挿通するように絞り羽根１３を配置する。つぎに、その上に、開口部２２Ｂを有する第２の地板１２Ｂを、第１の地板１２Ａの開口部２２Ａと第２の地板１２Ｂの開口部２２Ｂとが重なるように配置する。つぎに、駆動部ベース３１と駆動部カバー３２とが第１の地板１２Ａおよび第２の地板１２Ｂを挟持するように、凸部３９Ａを穴３９Ｂにはめ込んで駆動部カバー３２を駆動部ベース３１に固定する。
【００３２】
つぎに、絞りユニット２０をレンズ鏡筒１０に固定する工程では、図５に示す絞りユニット２０の地板１２をレンズ鏡筒１０の第１のスリット１７Ａから第２のスリット１７Ｂに挿入し、開口部２２を光軸Ｌに位置合わせする。つぎに、結合部材１９Ａをレンズ鏡筒１０に配置し結合部材１９Ａに設けられた穴にボス１９Ｂを差し込んで、絞りユニット２０をレンズ鏡筒１０に固定する。つぎに、マグネットケース５０をレンズ鏡筒１０に固定する。
【００３３】
レンズ鏡筒１０を外枠１５に配置する工程では、図３に示すマグネットケース５０に防磁部材５４と光軸方向に２極に着磁されたマグネット５１とを固定し、マグネット５１に引力または斥力を与える磁界を発生するコイル５２と、レンズ鏡筒１０が移動した距離を検知するホールセンサ５３と、が配置された外枠１５に、コイル５２で発生した磁界により光軸方向に移動させられるようにレンズ鏡筒１０を配置する。外枠１５とレンズ鏡筒１０とには、光軸方向にスライドするように、摺動部６１と摺動部６２との間にベアリング６３を配置する。また、外枠１５の外には、開放された面を覆うためのカバー６４とケース６５を配置する。
【００３４】
以上のように、本実施の形態のレンズユニット１０３を製造する方法では、レンズ鏡筒１０と絞りユニット２０とを別々に組み立て、組み立てた絞りユニット２０の地板１２をレンズ鏡筒１０のスリット１７Ａに挿入して絞りユニット２０をレンズ鏡筒１０に固定してレンズユニット１０３を製造する。このため、レンズ鏡筒１０と絞りユニット２０とを分けて製造することができ、レンズユニット１０３の製造を容易に分業して行うことができる。
【００３５】
つぎに、本実施の形態のカメラ１０１を、図７に示すように、カメラ１０１がスマートフォン１０４に備えられた場合について説明する。なお、スマートフォン１０４は、カメラ１０１に加えて、操作部１０５と、制御部１０６と、を備える。
【００３６】
撮影モードを選択する操作を操作部１０５が受け付けると、カメラ１０１は、撮影の待機状態になり、レンズ１１を透過し撮像部１０２に結像した被写体像のライブビュー画像を撮像し、スマートフォン１０４のディスプレイに表示する。
【００３７】
制御部１０６は、撮像しているライブビュー画像を基に、焦点調節部１６のコイル５２に電流を供給しレンズ鏡筒１０を光軸方向に移動させて焦点を合わせる。具体的には、制御部１０６は、「ピントが合っている＝コントラストが最も高い」という原理に基づくコントラスト検出法により、ライブビュー画像を解析し、レンズ鏡筒１０を移動させながらライブビュー画像のコントラストが最も高くなるレンズ鏡筒１０の位置を探して、焦点を合わせる。
【００３８】
また、制御部１０６は、ライブビュー画像の輝度が予め設定した輝度以上であるか否かに基づいて、または操作部１０５が受け付けた指示により、絞り羽根１３を開口部２２に進退させる。絞り羽根１３は、初期状態では、図８に示すように、開口部２２から退避させられている。制御部１０６は、絞りを絞った状態にする場合、コイル３３に順方向の電流を供給し、回転子３５を時計方向へ回転させる。回転子３５が時計方向に回転すると、図９に示すように、絞り羽根１３は、支点ピン３８を支点として、駆動ピン３６によって反時計方向へ回転させられ、絞り用開口部２５が開口部２２の位置に移動する。これに対して、制御部１０６が絞りを絞った状態から退避させた状態にする場合、コイル３３に逆方向の電流が供給し、回転子３５を反時計方向へ回転させる。回転子３５が反時計方向へ回転すると、駆動ピン３６によって、絞り羽根１３が時計方向へ回転し、図８に示す退避した位置に戻る。
【００３９】
また、制御部１０６は、ライブビュー画像をディスプレイに表示した状態で、焦点を合わせ、絞り羽根１３を動作させる。この状態で、レリーズボタンが押される操作を操作部１０５が受け付けると、制御部１０６は、撮像素子にリセット信号を送り、蓄積されていた電荷を放電させ、あらたな電荷の蓄積を開始させることによって撮像を開始する。その後、所定の露光時間が経過すると、撮像素子に蓄積された電荷に応じた信号が、撮像情報としてスマートフォン１０４の記憶装置に転送される。その後、制御部１０６は、撮像の待機状態に戻り、ライブビュー画像を撮像し、このライブビュー画像をスマートフォン１０４のディスプレイに表示する。
【００４０】
以上のように、本実施の形態のカメラ１０１によれば、地板１２がレンズ１１間に配置され、絞り羽根１３が羽根室２３に設けられ、レンズ鏡筒１０の側面に羽根駆動部１４が設けられることで、レンズ１１間に進退する絞り羽根１３を備えることができる。また、地板１２が設けられるレンズ１１間の間隔が地板１２の厚みだけあれば、地板１２をレンズ１１間に配置することができるため、カメラ１０１の光軸方向の長さを短縮することができる。また、レンズ鏡筒１０が外枠１５に光軸方向にスライドできるように設けられ、カメラ１０１が焦点調節部１６を備えることで、カメラ１０１は、自動焦点機能を備えることができる。また、羽根駆動部１４と外枠１５とが柔軟に撓る板バネ１８で電気的に接続されるため、レンズ鏡筒１０が光軸方向にスライドするときの負荷を小さくできる。この結果、レンズ鏡筒１０がスムーズにスライドし、焦点を迅速に合わせることができる。
【００４１】
（変形例）
上述の実施の形態のカメラ１０１では、絞り用開口部２５を備える絞り羽根１３がレンズ１１の間に進退する例について説明したが、絞り羽根１３を、光の透過を遮る遮光羽根（シャッタ羽根）に置き換えてもよい。この場合、カメラ１０１は、撮影の待機状態では、シャッタ羽根を退避させ、被写体像のライブビュー画像を撮像し、ライブビュー画像をスマートフォン１０４のディスプレイに表示する。撮影に際してレリーズボタンが押されると、撮像素子にリセット信号を送り、蓄積されていた電荷が放電され、あらたな電荷の蓄積を開始することによって撮影を開始する。その後、所定の露光時間が経過すると、シャッタ羽根が閉じられ、撮像素子に蓄積された電荷に応じた信号が、撮像情報としてスマートフォン１０４の記憶装置に転送される。その後、カメラ１０１は、シャッタ羽根を退避させ、撮影の待機状態に戻る。カメラ１０１は、シャッタ羽根を備えることで、シャッタ羽根を閉じた状態で、撮像素子に蓄積された電荷を記憶装置に転送できるため、画像のノイズを低減できる。
【００４２】
また、絞り羽根１３は、例えば、ＮＤ（Neutral Density）フィルタ、ＩＲ（InfraRed）透過フィルタ、ＩＲカットフィルタなどの光学フィルタに置き換えられてもよい。ＮＤフィルタを用いた場合では、被写体が明るすぎる場合に光量を削減することができる。ＩＲ透過フィルタを用いた場合には、赤外線写真を撮像することができる。ＩＲカットフィルタを用いた場合には、人間の目と同じ色彩の写真を撮像することができる。
【００４３】
上述の実施の形態のカメラ１０１は、スマートフォン１０４に備えられた場合について説明したが、カメラ１０１は、例えばスマートフォン以外の電子機器（例えば、タブレットＰＣ（Personal Computer）などの携帯端末、ノートＰＣやデスクトップＰＣなどのパーソナルコンピュータ、腕時計型端末などのウェアラブル端末、携帯型ゲーム機器）にも備えられてもよい。
【００４４】
また、上述の実施の形態のカメラ１０１は、１枚の絞り羽根１３が備えられる場合について説明したが、２枚以上の絞り羽根１３を備えてもよく、また、絞り羽根１３に加えてシャッタ羽根、光学フィルタを備えてもよい。このようにすることで、さらにカメラ１０１で撮像する画像の質が向上する。
【００４５】
本発明は、本発明の広義の精神と範囲を逸脱することなく、様々な実施の形態及び変形が可能とされるものである。上述した実施の形態は、本発明を説明するためのものであり、本発明の範囲を限定するものではない。
【産業上の利用可能性】
【００４６】
本発明は、例えば電子機器（例えば、スマートフォンやタブレットＰＣなどの携帯端末、ノートパソコンやデスクトップのパソコンなどのパーソナルコンピュータ）のカメラに備えられるレンズ鏡筒、レンズユニットとして、好適に利用され得る。
【符号の説明】
【００４７】
１０  レンズ鏡筒
１１  レンズ
１２、１２Ａ、１２Ｂ  地板
１３  絞り羽根
１４  羽根駆動部
１５  外枠
１６  焦点調節部
１７Ａ  第１のスリット
１７Ｂ  第２のスリット
１８、１８Ａ、１８Ｂ  板バネ
１９Ａ  結合部材
１９Ｂ  ボス
２０  絞りユニット
２１  先
２２、２２Ａ、２２Ｂ  開口部
２３  羽根室
２４  スペーサー
２５  絞り用開口部
２６、２７  孔
３１  駆動部ベース
３２  駆動部カバー
３３  コイル
３４  ヨーク
３５  回転子
３６  駆動ピン
３７  回転ピン
３８  支点ピン
３９Ａ  凸部
３９Ｂ  穴
４１Ａ、４１Ｂ、４２Ａ、４２Ｂ  電極
４３Ａ、４３Ｂ  孔
４４Ａ、４４Ｂ  リード部
４５  固定部
５０  マグネットケース
５１  マグネット
５２  コイル
５３  ホールセンサ
５４、５５  防磁部材
６１、６２  摺動部
６３  ベアリング
６４  カバー
６５  ケース
１０１  カメラ
１０２  撮像部
１０３  レンズユニット
１０４  スマートフォン
１０５  操作部
１０６  制御部
【図１】
2017151312.tif 000003
【図２】
2017151312.tif 000004
【図３】
2017151312.tif 000005
【図４】
2017151312.tif 000006
【図５】
2017151312.tif 000007
【図６】
2017151312.tif 000008
【図７】
2017151312.tif 000009
【図８】
2017151312.tif 000010
【図９】
2017151312.tif 000011